(57)【要約】【課題】  輝度を維持しながらクロストークの減少した３次元映像を表示するディスプレイ装置及び映像処理方法を提供する。【解決手段】  本ディスプレイ装置は、ディスプレイ部と、左眼映像及び右眼映像を含む映像を所定の輝度基準に基づいて第１映像及び第２映像のいずれか一方に分類し、該映像が第１映像に分類されると、ホワイトフレームを含む少なくとも二つのサブフレームを生成し、該映像が第２映像に分類されると、ブラックフレームを含む少なくとも二つのサブフレームを生成し、生成されたサブフレームをディスプレイ部に出力する信号処理部と、左眼映像及び右眼映像に対応する外部シャッターめがねの制御信号を、外部シャッターめがねに出力する信号送信部と、を含む。【選択図】      図３
2011087281.tif 000002
【特許請求の範囲】
【請求項１】
ディスプレイ部と、
左眼映像及び右眼映像を含む映像を、所定の輝度基準に基づいて第１映像及び第２映像のいずれか一方に分類し、前記映像が前記第１映像に分類されると、ホワイトフレームを含む少なくとも二つのサブフレームを生成し、前記映像が前記第２映像に分類されると、ブラックフレームを含む少なくとも二つのサブフレームを生成し、生成されたサブフレームを前記ディスプレイ部に出力する信号処理部と、
前記左眼映像及び前記右眼映像に対応する外部シャッターめがねの制御信号を、前記外部シャッターめがねに出力する信号送信部と、
を含むことを特徴とするディスプレイ装置。
【請求項２】
前記信号処理部は、前記左眼映像及び前記右眼映像のうち少なくとも一つが、所定の臨界輝度以上の輝度レベルを有する画素を、既に設定された範囲以上含むと、前記左眼映像及び前記右眼映像を前記第１映像に分類し、前記左眼映像及び前記右眼映像のうち少なくとも一つが、所定の臨界輝度以上の輝度レベルを有する画素を、既に設定された範囲未満含むと、前記左眼映像及び前記右眼映像を前記第２映像に分類することを特徴とする請求項１に記載のディスプレイ装置。
【請求項３】
前記第１映像に対するサブフレームは、前記ホワイトフレーム、及び前記第１映像よりも輝度レベルの低い補償フレームを含むことを特徴とする請求項２に記載のディスプレイ装置。
【請求項４】
前記第２映像に対するサブフレームは、前記ブラックフレーム、及び前記第２映像よりも輝度レベルの高い補償フレームを含むことを特徴とする請求項２に記載のディスプレイ装置。
【請求項５】
前記信号処理部は、前記第１映像に分類された前記左眼映像及び前記右眼映像の輝度レベルをスケールアップし、スケールアップされたスケールフレームに基づいて前記サブフレームを生成し、
前記左眼映像及び前記右眼映像をスケールアップさせるためのスケール係数を、前記左眼映像及び前記右眼映像のＳＡＤ、前記左眼映像及び前記右眼映像の輝度差に対するＳＡＤ、前記左眼映像及び前記右眼映像の最高輝度レベルのうち少なくとも一つに基づいて設定することを特徴とする請求項２に記載のディスプレイ装置。
【請求項６】
前記信号処理部は、前記第２映像に分類された前記左眼映像及び前記右眼映像の輝度レベルをスケールダウンさせ、該スケールダウンされたスケールフレームに基づいて前記サブフレームを生成し、
前記左眼映像及び前記右眼映像をスケールダウンさせるためのスケール係数を、前記左眼映像及び前記右眼映像のＳＡＤ、前記左眼映像及び前記右眼映像の輝度差に対するＳＡＤ、前記左眼映像及び前記右眼映像の最高輝度レベルのうち少なくとも一つに基づいて設定することを特徴とする請求項２に記載のディスプレイ装置。
【請求項７】
前記信号処理部は、所定のルックアップテーブルに基づいて前記スケールフレームの輝度レベルを前記サブフレームの輝度レベルに対応させることを特徴とする請求項５または６に記載のディスプレイ装置。
【請求項８】
前記信号処理部は、前記左眼映像及び前記右眼映像を前記輝度基準に基づいて前記第１映像及び前記第２映像のいずれか一方に分類し、前記左眼映像及び前記右眼映像が前記第１映像に分類されると、前記左眼映像よりも輝度レベルの低い第１補償フレーム、第１ホワイトフレーム、前記右眼映像よりも輝度レベルの低い第２補償フレーム及び第２ホワイトフレームを順次に出力することを特徴とする請求項１に記載のディスプレイ装置。
【請求項９】
前記信号処理部は、前記左眼映像及び前記右眼映像を前記輝度基準に基づいて前記第１映像及び前記第２映像のいずれか一方に分類し、前記左眼映像及び前記右眼映像が前記第２映像に分類されると、前記左眼映像よりも輝度レベルの高い第１補償フレーム、第１ブラックフレーム、前記右眼映像よりも輝度レベルの高い第２補償フレーム及び第２ブラックフレームを順次に出力することを特徴とする請求項１に記載のディスプレイ装置。
【請求項１０】
ディスプレイ部を含むディスプレイ装置の映像処理方法であって、
左眼映像及び右眼映像を含む映像を所定の輝度基準に基づいて第１映像及び第２映像のいずれか一方に分類する段階と、
前記映像が前記第１映像に分類されると、ホワイトフレームを含む少なくとも二つのサブフレームを生成し、前記映像が前記第２映像に分類されると、ブラックフレームを含む少なくとも二つのサブフレームを生成する段階と、
生成されたサブフレームを前記ディスプレイ部に出力しながら、前記左眼映像及び前記右眼映像に対応する外部シャッターめがねの制御信号を前記外部シャッターめがねに出力する段階と、
を含むことを特徴とするディスプレイ装置の映像処理方法。
【請求項１１】
前記第１映像と第２映像に分類する段階は、
前記左眼映像及び前記右眼映像のうち少なくとも一つが、所定の臨界輝度以上の輝度レベルを有する画素を、既に設定された範囲以上含むと、前記左眼映像及び前記右眼映像を前記第１映像に分類し、前記左眼映像及び前記右眼映像のうち少なくとも一つが、所定の臨界輝度以上の輝度レベルを有する画素を、既に設定された範囲未満含むと、前記左眼映像及び前記右眼映像を前記第２映像に分類することを特徴とする請求項１０に記載のディスプレイ装置の映像処理方法。
【請求項１２】
前記第１映像に対するサブフレームは、前記ホワイトフレーム、及び前記第１映像よりも輝度レベルの低い補償フレームを含み、
前記第２映像に対するサブフレームは、前記ブラックフレーム、及び前記第２映像よりも輝度レベルの高い補償フレームを含むことを特徴とする請求項１０に記載のディスプレイ装置の映像処理方法。
【請求項１３】
前記サブフレームを生成する段階は、
前記第１映像に分類された前記左眼映像及び前記右眼映像の輝度レベルをスケールアップさせるためのスケール係数を、前記左眼映像及び前記右眼映像のＳＡＤ、前記左眼映像及び前記右眼映像の輝度差に対するＳＡＤ、前記左眼映像及び前記右眼映像の最高輝度レベルのうち少なくとも一つに基づいて設定する段階と、
前記スケール係数を用いて前記左眼映像及び前記右眼映像の輝度レベルをスケールアップしたスケールフレームを生成する段階と、
前記スケールフレームに基づいて少なくとも二つのサブフレームを生成する段階と、
を含むことを特徴とする請求項１１に記載のディスプレイ装置の映像処理方法。
【請求項１４】
前記サブフレームを生成する段階は、
前記第２映像に分類された前記左眼映像及び前記右眼映像の輝度レベルをスケールダウンさせるためのスケール係数を、前記左眼映像及び前記右眼映像のＳＡＤ、前記左眼映像及び前記右眼映像の輝度差に対するＳＡＤ、前記左眼映像及び前記右眼映像の最高輝度レベルのうち少なくとも一つに基づいて設定する段階と、
前記スケール係数を用いて前記左眼映像及び前記右眼映像の輝度レベルをスケールダウンしたスケールフレームを生成する段階と、
前記スケールフレームに基づいて少なくとも二つのサブフレームを生成する段階と、
を含むことを特徴とする請求項１１に記載のディスプレイ装置の映像処理方法。
【請求項１５】
前記サブフレームを生成する段階は、
所定のルックアップテーブルに基づいて前記スケールフレームの輝度レベルを前記サブフレームの輝度レベルに対応させることを特徴とする請求項１３または１４に記載のディスプレイ装置の映像処理方法。
【発明の詳細な説明】
【技術分野】
【０００１】
本発明は、ディスプレイ装置及び映像処理方法に係り、特に、３次元映像を表示するディスプレイ装置及び映像処理方法に関するものである。
【背景技術】
【０００２】
技術発展に伴って、ディスプレイ装置は、デジタル／アナログに拘ることなく様々な形態のビデオ信号を処理してディスプレイするようになった。さらに、最近では、３次元映像信号である立体映像を、容易にアクセス可能なモニタまたはテレビなどから見ることも可能になった。立体映像信号は、２次元映像信号とは違い、コンテンツをユーザの右眼及び左眼に対応させて分離することが必要であり、分離されたイメージをユーザの左眼及び右眼にそれぞれディスプレイすることが必要である。
【０００３】
この場合、ユーザが右眼及び左眼にそれぞれ分離された映像から立体映像を経験するためにシャッターめがねをオン／オフしながら左右画面が交互に表示されるようにするシャッターグラス方式が用いられる。
【０００４】
左眼映像及び右眼映像が交互に表示される場合、左眼映像または右眼映像が同時にユーザに視認されるクロストーク（crosstalk）を防止するために、映像フレームの間にブラック映像を挿入する方法が用いられることもある。
【発明の概要】
【発明が解決しようとする課題】
【０００５】
本発明は、輝度を維持しながらクロストークの減少した３次元映像を表示するディスプレイ装置及び映像処理方法を提供することを技術的課題とする。
【課題を解決するための手段】
【０００６】
上記技術的課題を達成するための本発明の一実施例に係るディスプレイ装置は、ディスプレイ部と；左眼映像及び右眼映像を含む映像を、所定の輝度基準に基づいて、第１映像及び第２映像のいずれか一方に分類し、前記映像が前記第１映像に分類されると、ホワイトフレームを含む少なくとも二つのサブフレームを生成し、前記映像が前記第２映像に分類されると、ブラックフレームを含む少なくとも二つのサブフレームを生成し、生成されたサブフレームを前記ディスプレイ部に出力する信号処理部と；前記左眼映像及び前記右眼映像に対応する外部シャッターめがねの制御信号を、前記外部シャッターめがねに出力する信号送信部と；を含むことができる。
【０００７】
前記信号処理部は、前記左眼映像及び前記右眼映像のうち少なくとも一つが、所定の臨界輝度以上の輝度を有する画素を、既に設定された範囲以上含むと、前記左眼映像及び前記右眼映像を前記第１映像に分類し、前記左眼映像及び前記右眼映像のうち少なくとも一つが、所定の臨界輝度以上の輝度を有する画素を、既に設定された範囲未満含むと、前記左眼映像及び前記右眼映像を前記第２映像に分類することができる。
【０００８】
前記第１映像に対するサブフレームは、前記ホワイトフレーム、及び前記第１映像よりも輝度の低い補償フレームを含むことができる。
【０００９】
前記第２映像に対するサブフレームは、前記ブラックフレーム、及び前記第２映像よりも輝度の高い補償フレームを含むことができる。
【００１０】
前記信号処理部は、クロストークを防止するために、前記第１映像に分類された前記左眼映像及び前記右眼映像の輝度レベルをスケールアップし、スケールアップされたスケールフレームに基づいて前記サブフレームを生成することが好ましい。
【００１１】
前記信号処理部は、クロストークを防止するために、前記第２映像に分類された前記左眼映像及び前記右眼映像の輝度レベルをスケールダウンし、スケールダウンされたスケールフレームに基づいて前記サブフレームを生成することが好ましい。
【００１２】
前記信号処理部は、前記左眼映像及び前記右眼映像をスケールアップまたはスケールダウンするためのスケール係数を、前記左眼映像及び前記右眼映像のＳＡＤ（sum  of  absolute  difference）、前記左眼映像及び前記右眼映像の輝度差に対するＳＡＤ、前記左眼映像及び前記右眼映像の最高輝度レベルのうち少なくとも一つに基づいて設定することができる。
【００１３】
前記信号処理部は、所定のルックアップテーブルに基づいて前記スケールフレームの輝度を前記サブフレームの輝度に対応させることができる。
【００１４】
前記ブラックフレームの輝度は、下位１０％の輝度レベルを有し、前記ホワイトフレームの輝度は、上位１０％の輝度レベルを有することができる。
【００１５】
前記ディスプレイ部は、液晶パネルまたは有機発光パネルのいずれかを含むことができる。
【００１６】
前記制御信号は、前記左眼映像及び前記右眼映像に対する垂直同期信号に対応する同期信号でありうる。
【００１７】
前記信号処理部は、前記左眼映像及び前記右眼映像を、前記輝度基準に基づいて前記第１映像及び前記第２映像のいずれか一方に分類し、前記左眼映像及び前記右眼映像が前記第１映像に分類されると、前記左眼映像よりも輝度の低い第１補償フレーム、第１ホワイトフレーム、前記右眼映像よりも輝度の低い第２補償フレーム及び第２ホワイトフレームを順次に出力することができる。
【００１８】
前記信号処理部は、前記左眼映像及び前記右眼映像を、前記輝度基準に基づいて前記第１映像及び前記第２映像のいずれか一方に分類し、前記左眼映像及び前記右眼映像が前記第２映像に分類されると、前記左眼映像よりも輝度の高い第１補償フレーム、第１ブラックフレーム、前記右眼映像よりも輝度の高い第２補償フレーム及び第２ブラックフレームを順次に出力することができる。
【００１９】
一方、本発明の一実施例に係るディスプレイ部を含むディスプレイ装置の映像処理方法は、左眼映像及び右眼映像を含む映像を、所定の輝度基準に基づいて第１映像及び第２映像のいずれか一方に分類する段階と；前記映像が前記第１映像に分類されると、ホワイトフレームを含む少なくとも二つのサブフレームを生成し、前記映像が前記第２映像に分類されると、ブラックフレームを含む少なくとも二つのサブフレームを生成する段階と；生成されたサブフレームを前記ディスプレイ部に出力しながら、前記左眼映像及び前記右眼映像に対応する外部シャッターめがねの制御信号を前記外部シャッターめがねに出力する段階と；を含む。
【発明の効果】
【００２０】
以上の如く、本発明の一実施例によれば、輝度を維持しながらもクロストークの減少した３次元映像を表示できるディスプレイ装置及び映像処理方法を提供することができる。
【図面の簡単な説明】
【００２１】
【図１】本発明の一実施例によるディスプレイ装置の制御ブロック図である。
【図２】図１に示すディスプレイ装置に表示されるサブフレームを説明するための図である。
【図３】図１に示すディスプレイ装置のサブフレームとシャッターめがねの開閉を説明するための図である。
【図４】本発明の他の実施例によるディスプレイ装置の入力映像に対するサブフレーム輝度を示すグラフである。
【図５】図４に示すディスプレイ装置の第２映像に対するサブフレーム生成を説明するための図である。
【図６】図４に示すディスプレイ装置の第１映像に対するサブフレーム生成を説明するための図である。
【図７】図４に示すディスプレイ装置の映像処理方法を説明するためのフローチャートである。
【発明を実施するための形態】
【００２２】
以下、添付の図面を参照しつつ、本発明の実施例を本発明の属する技術分野における通常の知識を有する者が容易に実施できるように詳細に説明する。本発明は、様々な変形実施が可能であり、ここに説明する実施例に限定されるものではない。本発明を明確に説明するために、関連する公知技術については適宜説明を省略し、明細書全体を通じて同一のまたは類似の構成要素には、同一の参照符号を付するものとする。
【００２３】
図１は、本発明の一実施例によるディスプレイ装置の制御ブロック図である。同図のディスプレイ装置１００は、ディスプレイ部１０と、外部のシャッターめがね２００に制御信号を出力する信号送信部２０と、入力される左眼映像及び右眼映像を処理する信号処理部３０と、を含む。本発明によるディスプレイ装置１００は、放送信号を処理して表示するテレビまたはコンピュータ本体と連結されているモニタ、携帯用電話機のような携帯用端末機とすることができる。このようなディスプレイ装置１００は、２次元映像信号、すなわち、平面映像信号を受信して表示することもでき、３次元映像信号、すなわち、立体映像信号を受信して表示することもできる。立体映像信号は、人の左眼に視認される左眼映像と右眼に視認される右眼映像とに分離されており、分離された映像は、フレーム単位で順次に交互に表示される。
【００２４】
ディスプレイ部１０は、液晶層を含む液晶パネル、または有機物からなる発光層を含む有機発光パネルを含むことができる。液晶パネルまたは有機発光パネルは、通常、長方形を有し、１フレームに対応するデータ信号は、パネルの上方から下方へ順次に走査される。したがって、３次元立体映像を表示する場合、データが走査される間に左眼映像と右眼映像とがオーバーラップし、左眼映像と右眼映像とのクロストークが発生することができる。
【００２５】
信号送信部２０は、シャッターめがね２００の左眼シャッター及び右眼シャッターを交互に開放させるための制御信号を生成し、これをシャッターめがね２００に送信する。立体映像信号のうち、左眼映像は、左眼シャッターが開放される時にユーザの左眼に視認され、右眼映像は、右眼シャッターが開放される時にユーザの右眼に視認される。すなわち、本実施例による制御信号は、左眼映像及び右眼映像に対する垂直同期信号に対応する同期信号を含む。信号送信部２０は、赤外線送信部を含むことができ、制御信号として送出される赤外線信号の強度が特定臨界値を超過すると、左眼シャッターまたは右眼シャッターのいずれか一方が開放され、赤外線信号の強度が特定臨界値未満であれば、いずれか他方が開放されることができる。また、信号送信部２０は、シャッターめがね２００との通信のために有／無線インターフェースを含むことができる。
【００２６】
シャッターめがね２００は、信号送信部２０から出力される制御信号に同期して左眼シャッター及び右眼シャッターを交互に開閉する。シャッターめがね２００は、液晶シャッターを含むことができる。
【００２７】
信号処理部３０は、入力される左眼映像及び右眼映像を、所定の輝度基準に基づいて第１映像と第２映像とに分類し、第１映像に対応してホワイトフレームを含む少なくとも二つのサブフレームを生成し、第２映像に対応してブラックフレームを含む少なくとも二つのサブフレームを生成する。左眼映像及び右眼映像は、フレーム単位で交互に取り込まれることもでき、一つのフレームに２つの映像が混合または結合して取り込まれることもできる。いかなる方式で取り込まれても、左眼映像及び右眼映像は互いに独立して１フレームずつディスプレイ部１０に出力される。信号処理部３０は、各フレームに対して生成された少なくとも二つのサブフレームをディスプレイ部１０に順次に出力する。ここでいうフレームは、所定時間ディスプレイ部２００に表示される映像であり、本発明でいう“フレーム”は、表示される映像またはその映像を構成する映像信号を含む概念である。
【００２８】
信号処理部３０は、左眼映像及び右眼映像、すなわち、入力される原始フレームが、所定の臨界輝度以上の輝度レベルを有する画素を、既に設定された範囲以上含む明るい映像であれば、それを第１映像に分類し、原始フレームが、臨界輝度以上の輝度レベルを有する画素を、上記範囲未満と含む暗い映像である場合は、それを第２映像に分類する。例えば、映像が０〜２５５まで合計２５６の輝度レベルを有する場合、原始フレームに含まれている画素の９０％または９５％以上が特定臨界輝度、例えば、１９２以上の輝度レベルを有する場合、この映像は第１映像に分類する、しかし、１９２以上の輝度レベルを有する画素が全体画素の９０％未満である場合、この映像は第２映像と分類する。要するに、信号処理部３０は、全体的に明るい映像と全体的に暗い映像とに分類した後、分類結果に基づいてサブフレームを生成する。信号処理部３０は、左眼映像及び右眼映像のそれぞれを第１映像及び第２映像のいずれか一方に分類することもでき、左眼映像及び右眼映像のいずれか一方のみを、第１映像及び第２映像のいずれか一方に分類することもできる。左眼映像及び右眼映像のいずれか一方、例えば、左眼映像が第１映像に分類された場合、左眼映像に対応する右眼映像も第１映像である可能性が高い。したがって、信号処理部３０は、入力される左眼映像及び右眼映像の少なくとも一方が、臨界輝度以上の輝度レベルを有する画素を、既に設定された範囲以上含み、互いに対応する左眼映像及び右眼映像を第１映像に分類することができ、その逆の場合も可能であることは勿論である。図２は、本実施例によるディスプレイ装置に表示されるサブフレームを説明するための図であり、図３は、サブフレーム及びシャッターめがねの開閉を説明するための図である。図２に示すように、本実施例による信号処理部３０は、左眼映像及び右眼映像に対してそれぞれ二つのサブフレームを生成する。以前フレームに対応する左眼映像と現在フレームに対応する右眼映像に基づいてそれぞれ第１サブフレーム及び第２サブフレームが形成され、連続して入力される次のフレームに基づいて同様に二つのサブフレームが生成される。第２サブフレームは、原始フレームに該当する左眼映像及び右眼映像との間に挿入されるホワイトフレームまたはブラックフレームで構成され、第１サブフレームは、左眼映像及び右眼映像の輝度レベルよりも高いまたは低い補償フレームで構成される。ホワイトフレーム及びブラックフレームは全体的に単色映像を含み、補償フレームは全体的に輝度レベルの調整された原始映像を含む。
【００２９】
第１映像として分類された以前フレーム及び現在フレームの場合、第２サブフレームとしてホワイトフレームが生成され、第２映像として分類された次のフレームの場合、第２サブフレームとしてブラックフレームが生成される。ホワイトフレームがサブフレームとして生成される第１映像の場合、残り補償フレームの輝度レベルは、原始フレームの輝度レベルよりも低く、ブラックフレームがサブフレームとして生成される第２映像の場合、補償フレームの輝度レベルは、原始フレームの輝度レベルよりも高い。第１サーバーフレームと第２サブフレームとの平均輝度レベルは、原始フレームの輝度レベルに対応することが好ましいので、原始フレームよりも高い輝度レベルを有するホワイトフレームが生成される場合、補償フレームの輝度は原始フレームよりも低くなり、原始フレームよりも低い輝度レベルを有するブラックフレームが生成される場合、補償フレームの輝度は原始フレームのそれよりも高くなるわけである。
【００３０】
図３の（ａ）は、一つのフレームに対応する映像が行単位でディスプレイ部１０の上部から下部に、すなわち、ディスプレイ部１０のバーチカルライン数を増加させながらディスプレイ部１０に印加される時に表示されるサブフレームを示す図である。左眼映像及び右眼映像は、垂直同期信号（図示せず）に応じて周期Ｔで入力され、二つのサブフレームも同様、周期Ｔの間にディスプレイ部１０に走査される。左眼映像に対応する補償フレームがディスプレイ部１０に走査される間、左眼シャッターが開放され（図３の（ｂ））、右眼映像に対応する補償フレームがディスプレイ部１０に走査される間、右眼シャッターが開放される（図３の（ｃ））。左眼シャッター及び右眼シャッターは、該当の映像が走査される間にのみ開放され、反対映像が走査される間には閉鎖される。図示のように、左眼映像及び右眼映像が第１映像に分類されると、左眼映像よりも輝度レベルの低い第１補償フレーム、第１ホワイトフレーム、右眼映像よりも輝度レベルの低い第２補償フレーム及び第２ホワイトフレームが順次的に出力される。逆に、左眼映像及び右眼映像が第２映像に分類されると、左眼映像よりも輝度レベルの高い第１補償フレーム、第１ブラックフレーム、右眼映像よりも輝度レベルの高い第２補償フレーム及び第２ブラックフレームが順次に出力される。
【００３１】
映像に対応する補償フレームの間には、映像を視認できないブラックフレームまたはホワイトフレームが走査されるため、ユーザは、左眼映像及び右眼映像を同時に視認できず、左眼映像と右眼映像とが重なり合うクロストークを防止することができる。従来は、このようなクロストークを改善するために、左眼映像及び右眼映像の間にブラック映像を挿入したこともあるが、こうすると、映像の輝度が全体的に急減する問題点につながる。本実施例によると、映像間にクロストークを防止しながら、映像の輝度に応じてブラックまたはホワイトフレームを挿入することによって原始映像の輝度レベルを維持することができる。また、原始映像の輝度レベルを変更させた補償フレームを生成することによって、映像の全体的な輝度を、入力される原始映像と略同一に調節することができる。
【００３２】
第１映像及び第２映像を分類する基準とされる臨界輝度は固定しておらず、ユーザの好み、ディスプレイ装置１００の設置される環境及び画質の出力状態に応じて変更可能である。また、臨界輝度を有する画素の範囲も同様、９０％〜１００％以外の範囲とすることもでき、より広い範囲とすることもできる。
【００３３】
他の実施例によれば、第１映像及び第２映像を分類する輝度基準を、各画素の輝度レベルではなく、全体平均輝度値に設定することもできる。例えば、左眼映像または右眼映像の平均輝度値が特定臨界値を超過する場合、第１映像に分類し、臨界値以下である場合、第２映像に分類することができる。
【００３４】
ブラックフレームの輝度は、下位１０％の輝度レベルを有することができ、ホワイトフレームの輝度は、上位１０％の輝度レベルを有することができる。換言すると、ブラックフレームは、映像が視認されない程度の低いレベルの映像であれば、必ずしも輝度レベル０のブラックに限定されず、グレーレベルを含んでも良く、ホワイトフレームも同様、最高輝度レベル２５５に限定される必要はない。
【００３５】
図４は、本発明の他の実施例によるディスプレイ装置の入力映像に対するサブフレーム輝度レベルを示すグラフである。本実施例による信号処理部３０は、所定のルックアップテーブル（図示せず）に基づいて原始フレームの輝度レベルを調節してサブフレームを生成する。図４は、ルックアップテーブルに基づいて入力映像に対して出力される映像の輝度レベルを示すグラフである。入力映像の輝度レベルが臨界輝度以上である場合、第１映像に分類され、グラフの第１領域Ａ中の線に沿ってサブフレームが生成され、入力映像の輝度レベルが臨界輝度未満である場合、第２映像に分類され、グラフの第２領域Ｂ中の線に沿ってサブフレームが生成される。同図において、第１映像は、第１サブフレームとして補償フレームを、第２サブフレームとしてホワイトフレームを形成し、第２映像は、第１サブフレームとしてブラックフレームを、第２サブフレームとして補償フレームを形成する。
【００３６】
然るに、原始フレームが、明るい映像である第１映像に分類されたとしても、原始フレームは、画素の輝度レベルが臨界輝度よりも低い画素を含むことがあり、暗い映像である第２映像に分類されたとしても、画素の輝度レベルが臨界輝度よりも高い画素を含むことがある。このような場合、映像をスケールアップまたはスケールダウンし、スケールの変更されたスケールフレームを用いてサブフレームを生成する過程を、図５及び図６に示す。
【００３７】
図５に示す第２映像（Ｉ）は、全体的に輝度レベル３０を有する暗い映像であるが、該映像の左側領域に、輝度レベル２００の画素Ｐ１が存在する。臨界輝度を１９２に設定すると、輝度レベル２００の画素Ｐ１は、図４における第１領域Ａに存在するようになる。したがって、図４に従ってブラックフレームを生成すると、画素Ｐ１に対応する第１サブフレームの輝度は、ブラックでない輝度値Ｃ（例えば、５０）を有することができる。このような場合、ブラックフレームは、第２’映像（Ｉ’）のように、左側領域に映像が表示され、これは、隣接した映像の補償フレームと重なり合ってクロストークを生じさせる。このようなクロストークを除去するために、信号処理部３０は、第２映像に分類された原始フレームの輝度レベルをスケールダウンし、スケールダウンされたスケールフレームに基づいてサブフレームを生成する。スケールフレーム（Ｉ−Ｓ）は、原始映像の輝度レベルを一定割合で変更させたもので、同図に示すように、原始フレームにスケール係数Ｋを乗じることで全体的に輝度レベルを減少させる。原始フレームをスケールダウンするためのスケール係数Ｋは、０より大きく且つ１より小さい値にする。このスケール係数Ｋは、左眼映像及び右眼映像のＳＡＤ、左眼映像及び右眼映像の輝度差に対するＳＡＤ、左眼映像及び右眼映像の最高輝度レベルのうち少なくとも一つに基づいて設定することができる。すなわち、スケール係数Ｋは、固定した値ではなく、入力される映像に応じて変更される変数であり、信号処理部３０は、入力される原始フレームの輝度特性に基づいてスケール係数Ｋを設定するアルゴリズムを含む。輝度レベル２００の画素Ｐ１は、スケール係数（Ｋ＝０．８）によって１８０とスケールダウンされ、該スケールダウンされた画素は、グラフの第２領域Ｂに属することとなる。
【００３８】
信号処理部３０は、スケールダウンされたスケールフレーム（Ｉ−Ｓ）を入力映像とし、図４に従ってブラックフレーム（Ｉ−１）及び補償フレーム（Ｉ−２）を形成する。したがって、ブラックフレーム（Ｉ−１）は映像を含まなく、補償フレーム（Ｉ−２）は、スケールフレーム（Ｉ−Ｓ）よりも高い輝度レベルを有する。ブラックフレーム（Ｉ−１）及び補償フレーム（Ｉ−２）の平均輝度は、スケールフレーム（II−Ｓ）の輝度レベルと略同一に調節される。
【００３９】
図６に示す第１映像（II）は、全体的に輝度レベル２００の明るい映像であるが、映像の右側領域に輝度レベル１００の画素Ｐ２が存在する。臨界輝度を１９２に設定すると、輝度レベル１００の画素Ｐ２は、図４の第２領域Ｂに存在するようになる。したがって、図４に従ってホワイトフレームを生成すると、画素Ｐ２に対応する第２サブフレームの輝度は、ホワイトでない輝度値Ｄ（例えば１８０）を有することができる。このような場合、図４に従って形成されたホワイトフレームは、第１’映像（II’）のように、右側領域に映像が表示される。信号処理部３０は、クロストークを除去するために、第１映像（II）の輝度レベルをスケールアップし、スケールアップされたスケールフレームに基づいてサブフレームを生成する。スケールアップのためのスケール係数Ｋは、１より大きい値にし、例えば、同図のように、２．１に設定することができる。輝度レベル１００の画素Ｐ２は、スケール係数Ｋ＝２．１によって２１０にスケールアップされ、該スケールアップされた画素は、グラフ中の第１領域Ａに属することとなる。信号処理部３０は、スケールアップされたスケールフレーム（II−Ｓ）に基づいて、補償フレーム（II−１）に該当する第１サブフレーム及びホワイトフレーム（II−２）に対応する第２サブフレームを生成する。したがって、ホワイトフレーム（II−２）は映像を含まなく、かつ、補償フレーム（II−１）は、スケールフレーム（II−Ｓ）よりも低い輝度レベルを有することとなる。
【００４０】
スケール係数Ｋによってブラックフレーム（I−１）またはホワイトフレーム（II−２）が映像を含むこともできる。すなわち、ブラックフレーム（I−１）またはホワイトフレーム（II−２）は、第１映像（II）及び第２映像（I）よりも薄い映像を含むことができる。スケール度合を増加させるとクロストークが発生する可能性が減少し、スケール度合を減少させると原始映像の輝度レベルを維持することができる。要するに、スケール度合を表すスケール係数Ｋは、クロストーク及び輝度を考慮して適切な値に設定することが好ましい。
【００４１】
図７は、本実施例によるディスプレイ装置の映像処理方法を示すフローチャートである。図７を参照して、本実施例によるディスプレイ装置の映像処理方法を説明する。
【００４２】
まず、信号処理部３０は、順次に入力される左眼映像及び右眼映像を、所定の輝度基準に基づいて第１映像と第２映像とに分類する。このために、信号処理部３０は、左眼映像及び前記右眼映像が、臨界輝度以上の輝度レベルを有する画素を、既に設定された範囲以上含むか否か、例えば、全体画素の９０％以上が臨界輝度以上の輝度レベルを有するか否かを判断する（Ｓ１０）。
【００４３】
この判断結果、全体画素の９０％以上が臨界輝度以上の輝度レベルを有しないと、入力映像を第２映像と判断し、全ての画素が臨界輝度よりも小さい輝度レベルを有するか否か判断する（Ｓ２０）。
【００４４】
もし、全ての画素が臨界輝度よりも小さい輝度レベルを有すると、信号処理部３０は、スケールダウン無しで、第２映像に基づいてブラックフレーム及び補償フレームを生成する（Ｓ５０）。これは、スケール係数Ｋを１とした場合と同一である。
【００４５】
しかし、全ての画素が臨界輝度よりも小さい輝度レベルを有するものではないなら、信号処理部３０は、第２映像に基づいてスケール係数Ｋを設定し（Ｓ３０）、スケール係数Ｋによって第２映像をスケールダウンする（Ｓ４０）。
【００４６】
信号処理部３０は、スケールダウンされたスケールフレームに基づいて、ブラックフレーム及び補償フレームを生成する（Ｓ５０）。補償フレームは、第２映像またはスケールフレームよりも高い輝度レベルを有することができる。
【００４７】
一方、全体画素の９０％以上が臨界輝度以上の輝度レベルを有すると、入力映像を第１映像と判断し、全ての画素が臨界輝度よりも大きい輝度レベルを有するか否か判断する（Ｓ６０）。
【００４８】
もし、全ての画素が臨界輝度よりも大きい輝度レベルを有すると、信号処理部３０は、スケールアップ無しで、第１映像に基づいてホワイトフレーム及び補償フレームを生成する（Ｓ９０）。これは、スケール係数Ｋを１にした場合と同一である。
【００４９】
しかし、全ての画素が臨界輝度よりも大きい輝度レベルを有するものではないなら、信号処理部３０は、第１映像に基づいてスケール係数Ｋを設定し（Ｓ７０）、スケール係数Ｋによって第１映像をスケールアップする（Ｓ８０）。
【００５０】
信号処理部３０は、スケールアップされたスケールフレームに基づいて、ホワイトフレーム及び補償フレームを生成する（Ｓ９０）。補償フレームは、第１映像またはスケールフレームよりも低い輝度レベルを有する。
【００５１】
最後に、信号処理部３０は、生成されたサブフレームを一定の周期Ｔでディスプレイ部１０に出力し、信号送信部２０は、左眼映像及び右眼映像に対応してシャッターめがね２００の左眼シャッター及び右眼シャッターを開閉させるための制御信号を、シャッターめがね２００に出力する（Ｓ１００）。
【００５２】
他の実施例によれば、信号処理部３０は、原始フレームのスケールアップまたはスケールダウンのうちいずれか一方を省略することができる。上記実施例のように、全体画素の９０％以上が臨界輝度以上を有することを基準に第１映像を判断する場合、スケールアップは省略可能である。または、全体画素の９０％以上が臨界輝度以下を有することを基準に第２映像を判断した後、第１映像を再び分類する場合には、スケールダウンは省略可能である。
【００５３】
本発明は、立体映像を表示するディスプレイ装置においてクロストークを防止しながらも原始映像の輝度を維持できるように、映像の輝度に基づいてブラックフレームまたはホワイトフレームを追加する発明である。
【００５４】
以上では具体的な実施例及び図面に挙げて本発明を説明してきたが、本発明の属する技術分野における通常の知識を有する当業者にとっては、本発明の原則や精神を逸脱しない限度内で、本発明を様々に変形実施できるということが明らかである。したがって、発明の範囲は、添付の請求項及びその均等物によって定められるべきである。
【符号の説明】
【００５５】
１０    ディスプレイ部
２０    信号送信部
３０    信号処理部
１００  ディスプレイ装置
２００  シャッターめがね
【図１】
2011087281.tif 000003
【図２】
2011087281.tif 000004
【図３】
2011087281.tif 000005
【図４】
2011087281.tif 000006
【図５】
2011087281.tif 000007
【図６】
2011087281.tif 000008
【図７】
2011087281.tif 000009